(57)【要約】【課題】手動でレンズ鏡筒を駆動させる。【解決手段】レンズ鏡筒１２には、ズーム機構、フォーカス機構が組み込まれている。ズーム機構は、ズーム駆動ギア８５が回転するとズームレンズが移動してズーミングが行われる。レンズ鏡筒１２の近傍には、ズーム操作ノブ１５が設けられている。ズーム操作ノブ１５を引き出し操作するとギア２５とズーム駆動ギア８５が歯合する操作位置に移動する。操作位置にあるズーム操作部材１５を回転操作すると、連動してズーム駆動ギア８５が回転する。これにより、手動でズーミングすることができる。同様に、フォーカス操作ノブ１７を引き出した後に回転操作することによって、手動でフォーカシングすることができる。【選択図】        図５
2004226840.tif 000002
【特許請求の範囲】
【請求項１】
カメラ本体にレンズ鏡筒が設けられ、このレンズ鏡筒内に組み込まれた少なくとも１つの移動レンズをモータによって駆動するカメラにおいて、
前記カメラ本体に、前記移動レンズを手動で駆動させる操作ノブを設けたことを特徴とするカメラ。
【請求項２】
前記モータの故障を検知する検知手段と、この検知手段により故障が検知されたときに警告を発する警告手段とを設けたことを特徴とする請求項１記載のカメラ。
【発明の詳細な説明】
【０００１】
【発明の属する技術分野】
本発明はカメラに関し、更に詳しくは、モータによって自動的に撮影レンズの移動や絞りの調節をするカメラに関するものである。
【０００２】
【従来の技術】
撮影レンズを通して得られた被写体画像をフイルムに焼き付ける銀塩カメラや、ＣＣＤイメージセンサなどの固体撮像素子などによりデジタルデータ化して記憶媒体に記録するデジタルカメラが知られている。
【０００３】
近年のカメラは、ほとんどのモデルにフォーカス機構やズーム機構が備えられており、これらの機構はモータによって駆動される。また、コンパクトカメラでは、不使用時にレンズ鏡筒が本体内に収納され、使用時にはモータによってレンズ鏡筒が繰り出される沈動式のカメラも多い。
【０００４】
このため、モータが故障してしまうと、フォーカス機構やズーム機構が使用不能になってしまう。旅先などで故障が発生した場合には、すぐに修理をすることもできないので、緊急用にこれらの機構を手動で操作できるようにしたいといったユーザーのニーズも多い。
【０００５】
高級機では、レンズ鏡筒にフォーカシングやズーミングを手動で行うための操作リングが設けられており、モーターに故障が発生した場合でも、この操作リングを操作することでズーミングなどを行うことができる（例えば、下記非特許文献１参照）。そこで、コンパクトカメラのレンズ鏡筒にも、上記操作リングを設ければ、緊急時にはそれを操作することでフォーカシングやズーミングを行うことができる。
【０００６】
【非特許文献１】
インターネット  富士フイルム株式会社ホームページ  ＜ｈｔｔｐ：／／ｗｗｗ．ｆｉｎｅｐｉｘ．ｃｏｍ／ｓ２ｐｒｏ．ｈｔｍｌ  ＞
【０００７】
【発明が解決しようとする課題】
しかしながら、レンズ鏡筒に操作リングを設けると、レンズ鏡筒が大型化するばかりでなく、沈胴式カメラにおいては、レンズ鏡筒が本体内に収納された状態でモータが故障してしまった場合には操作すらできなくなってしまうという問題があった。
【０００８】
本発明は、レンズ鏡筒を大型化することなく、モータが故障した場合でも、フォーカス機構やズーム機構の手動操作が可能なカメラを提供することを目的とする。
【０００９】
【課題を解決するための手段】
上記問題点を解決するために、本発明のカメラは、カメラ本体にレンズ鏡筒が設けられ、このレンズ鏡筒内に組み込まれた少なくとも１つの移動レンズをモータによって駆動するカメラにおいて、前記移動レンズを手動で駆動させる操作ノブを設けたことを特徴とするものである。また、前記モータの故障を検知する検知手段と、この検知手段により故障が検知されたときに警告を発する警告手段とを設けてもよい。
【００１０】
【発明の実施の形態】
本発明を適用したデジタルカメラ１０の正面側斜視図を図１に、背面側斜視図を図２にそれぞれ示す。デジタルカメラ１０は、カメラ本体１１と、レンズ鏡筒１２とからなっており、カメラ本体１１の前面中央部にレンズ鏡筒１２が配置されている。
【００１１】
カメラ本体１１の背面側には、ズームボタン２０、液晶モニタ（ＬＣＤ）２１、操作部２６などが設けられており、上面にはレリーズボタン２８が設けられている。ＬＣＤ２１は、再生モードの時には再生画像を表示するためのモニタとして使用され、撮影モードの時にはフレーミング用のスルー画を表示するための電子ビューファインダとして機能する。
【００１２】
レンズ鏡筒１２は、ズームボタン２０を操作することによって図１（ａ）に示す沈胴位置と、同図（ｂ）に示す繰り出し位置との間で撮影光軸に沿って進退移動する。図３に示すように、レンズ鏡筒１２は、回転筒５７、５９、６２、固定筒６４などからなり、その内部にはズーム機構、フォーカス機構、絞り機構が組み込まれている。
【００１３】
一方、カメラ本体１１には、ズーミングを行うためのズーム用モータ７５と、フォーカシングを行うためのフォーカス用モータ７７と、絞り調節を行うための絞り用モータ７９が設けられている。前記ズーム、フォーカス、絞りの各機構はこれらのモータによって駆動される。
【００１４】
ズーム機構は、カメラ本体１１に固定される固定筒６１と、固定筒６１の内部で回転しながら撮影光軸方向に進退移動する回転筒６２、及び、回転筒６２内部に配置されている複数枚のスームレンズ６５（図６参照）とからなっている。回転筒６２には、外周に沿って螺旋状に形成された歯列６３が設けられており、他方、固定筒６１には、歯列６３と噛合する溝６１ａが形成されている。この歯列６３の一部は固定筒６１を切り欠いて設けられた開口６４より露呈している。
【００１５】
カメラ本体１１には、開口６４から露呈している歯列６３と歯合するズーム駆動ギア８５が設けられている。ズーム駆動ギア８５が回転すると、この回転が回転筒６２へ伝わり回転筒６２が回転する。回転筒６２が回転すると歯列６３と溝６１ａの噛合により、回転筒６２は撮影光軸方向に進退移動する。この回転筒６２の移動とともにズームレンズ６５が移動することによってズーミングが行われる。
【００１６】
フォーカス機構は、回転筒５７と、回転筒５７の内部に配置され、回転筒５７が回転することによって撮影光軸方向に進退移動するフォーカスレンズ６７（図６参照）とからなっている。回転筒５７の外周部分は歯車となっており、フォーカス駆動ギア８７と歯合している。そして、フォーカス駆動ギア８７をフォーカス用モータ７７によって回転させることで回転筒５７が回転して、フォーカスレンズ６７が移動してフォーカシングが行われる。
【００１７】
絞り機構は、外周部分が歯車となっている回転筒５９と、回転筒５９の内部に配置され、回転筒５９が回転することによって移動する絞り板６９（図６参照）とからなっている。そして、回転筒５９の歯車と歯合している絞り駆動ギア８９を絞り用モータ７９によって回転させることで絞り板６９が移動する。これにより、レンズ鏡筒１２を通る光の量が調整され、絞り調節が行われる。
【００１８】
なお、ズームレンズ６５、フォーカスレンズ６７や、絞り板６９の移動機構はモータによって移動させる機構であれば上記のものに限定されることはなく、他の機構を用いてもよい。
【００１９】
カメラ本体１１には、レンズ鏡筒１２の近傍にズーム操作ノブ１５、フォーカス操作ノブ１７が設けられている。ズーム操作ノブ１５は、ズーム用モータ７５が故障した場合に手動でズーミングを行うための操作部材であり、フォーカス操作ノブは、フォーカス用モータ７７が故障した場合に手動でフォーカシングを行うための操作部材である。
【００２０】
図４は、ズーム操作ノブ１５、及びフォーカス操作ノブ１７の動きを表す説明図である。ズーム操作ノブ１５は、図４（ｂ）に示す待避位置と、図４（ａ）に示す、操作位置との間で移動自在に設けられている。ズーム操作ノブ１５は、ズーム用モータ７５が正常に動作している時は待避位置にあり、ズーム用モータ７５が故障した際には操作位置まで引き出されて操作される。
【００２１】
同様に、フォーカス操作ノブ１７は、フォーカス用モータ７７が正常に動作しているときは、図４（ａ）に示す、待避位置にある。そして、フォーカス用モータ７７が故障した際には、図４（ｂ）に示す、操作位置まで引き出されて操作される。
【００２２】
図５に示すように、ズーム操作ノブ１５の背面には、シャフト２５が設けられており、その後端にはギア３５が設けられている。なお、レンズ鏡筒２の正面側平面図を示す図５（ａ）においてＢ方向からレンズ鏡筒１２を観察した平面図を同図（ｂ）、（ｃ）、（ｄ）に示す。
【００２３】
図５（ｂ）に示すように、待避位置においてズーム操作ノブ１５は、カメラ本体１１と密着しており、ギア２５とズーム駆動ギア８５は離れている。一方、図５（ｃ）に示すように、ズーム操作ノブ１５がカメラ本体１１から引き出され操作位置にあるときには、ギア２５とズーム駆動ギア８５が歯合している。
【００２４】
これによって、ズーム操作ノブ１５が待避位置にあるときは、ズーム操作ノブ１５を回転させてもズーム駆動ギア８５は回転しないが、ズーム操作ノブ１５が操作位置にあるときには、ズーム操作ノブ１５の回転にとともにギア２５が回転して、ギア２５と歯合しているズーム駆動ギア８５が回転するようになっている。
【００２５】
前述したように、ズーム機構は、ズーム用モータ７５によりズーム駆動ギア８５が回転するようになっているので、通常使用時にはズーム操作ノブ１５は、待避位置にある。一方、ズーム用モータ７５が故障した際にズーム操作ノブ１５は、引き出し操作することによって操作位置に移動する。操作位置にあるズーム操作ノブ１５を回転操作すると、この回転に連動してズーム駆動ギア８５が回転するので、手動でズーミングを行うことができる。
【００２６】
同様にして、フォーカス操作ノブ１７の背面には、シャフト２７が設けられており、その後端にはギア３７が設けられている。図５（ｂ）に示すように、フォーカス操作ノブ１７が待避位置にあるときにはギア３７とフォーカス駆動ギア８７は離れており、フォーカス操作ノブ１７の回転はフォーカス駆動ギア８７に伝達しない。
【００２７】
一方、フォーカス操作ノブ１７は、引き出し操作されて、図５（ｄ）に示す、操作位置にあるときには、ギア２７とフォーカス駆動ギア８７が歯合して、フォーカス操作ノブ１７の回転をフォーカス駆動ギア８７に伝達させる。これによって、フォーカス操作ノブ１７を引き出し操作して操作位置に移動させた後、回転操作することによって手動でフォーカシングを行うことができる。
【００２８】
なお、ズーム操作ノブ１５、フォーカス操作ノブ１７、及びカメラ本体１１は、各操作部材が引き出し操作や回転操作されたときに適度の操作抵抗が発生するように各部材の材質や、各部材間の隙間の調節がなされている。
【００２９】
各駆動ギアと各操作部材の回転軸は同一の方向となるように構成するとともに、各操作部材はレンズ鏡筒の近傍に設けてある。このため、操作部材をカメラ本体の側面や上面などに設けた場合と比較して、操作部材と駆動ギアの回転方向を合わせるためや、操作部材の駆動力を駆動ギアに伝達するための機構を簡略化できる。これによって、部材数の増加や、機構の複雑化を防止して、カメラの大型化を防止でき、またコストも抑えることができる。
【００３０】
さらに、カメラ本体側に操作部材を設けたので、レンズ鏡筒に操作リングを設けた場合と比較して、沈胴式カメラにおいてレンズ鏡筒が沈胴位置にある場合でもズームやフォーカスなどの操作部材が操作不能となってしまうことがない。
【００３１】
図６に示すように、デジタルカメラ１０の内部にはＣＰＵ９１が設けられており、デジタルカメラ１０の各部はＣＰＵ９１によって制御される。レンズ鏡筒１２の背後にはＣＣＤイメージセンサ（ＣＣＤ）９０が配置され、レンズ鏡筒１２を通して撮像した撮像信号を画像信号処理部９２に送信する。ＣＣＤ９０は、レリーズボタン２８が押下されない間は、所定の間隔でスルー画を取り込み、レリーズボタン２８が押されたときには、本画像を取り込む。取り込まれたスルー画は、ＬＣＤ２１に出力される。
【００３２】
画像信号処理部９２は、データバス９３を介して、ＡＥ検出部９６、ＡＦ検出部９７に接続されている。ＡＥ検出部９６は、画像信号処理部９２に送られた画像データに基づいて輝度演算を行い、絞り値を決定する。ＣＰＵ９１は、決定した絞り値に基づいて、絞り用モータ７９を駆動させ、絞り駆動ギア８９を回転させることで絞り板６９を移動させて、絞り調節を行う。
【００３３】
ＡＦ検出部９７は、前記画像データに基づいて、フォーカスレンズ６７の合焦位置を決定する。ＣＰＵ９１は、フォーカス用モータ７７を駆動し、フォーカス駆動ギア８７を回転させることによりフォーカスレンズ６７を決定された合焦位置に移動させる。
【００３４】
また、ＣＰＵ９１は、ズーム操作ボタン３３からの操作信号が入力されると、ズーム用モータ７５を駆動し、ズーム駆動ギア８５を回転させる。これによってズームレンズ６５が移動して、ズーミングが行われる。
【００３５】
ユーザーは、ＬＣＤ２１に表示されたスルー画を見ながらフレーミングを行う。フレーミング後にレリーズボタン２８を押圧操作すると、本画像がメモリカード９５に記録される。
【００３６】
また、デジタルカメラ１０には、レンズ鏡筒１２の近傍に故障検知手段９８が設けられている。故障検知手段９８は、ズームレンズ６５、フォーカスレンズ６７の移動量を検知している。この故障検知手段９８としては、フォトインタラプタなどの周知のセンサが用いられている。そして、故障検知手段９８は、このセンサによりズームレンズ６５、フォーカスレンズ６７が移動したことを検知すると、その移動量に対応した信号をＣＰＵ９１に対して送信する。
【００３７】
ＣＰＵ９１は、ズーム用モータ７５を駆動したときに、ズーム用モータ７５の駆動量とズームレンズ６５の移動量を比較して、ズーム用モータ７５の駆動量に対応した分だけズームレンズ６５が移動した場合には、ズーム用モータ７５が正常だと判断し、駆動量と移動量が対応していない場合には、ズーム用モータ７５が異常だと判断する。
【００３８】
そして、ズーム用モータ７５が異常と判断された場合にＣＰＵ９１は、図７に示すように、ＬＣＤ２１に異常の内容、及び手動操作を促すメッセージを表示する。これによって、ユーザーにズーム用モータ７５の異常を知らせるとともに、手動操作に切り替えるよう促す。
【００３９】
同様にして、ＣＰＵ９１は、フォーカス用モータ７７を駆動したときに、フォーカス用モータ７７の駆動量とフォーカスレンズ６７の移動量を比較して、フォーカス用モータ７７が異常と判断された場合には、ＬＣＤ２１に異常の内容、及び手動操作を促すメッセージを表示する。これによって、ユーザーにフォーカス用モータ７７の異常を知らせるとともに、手動操作に切り替えるよう促す。
【００４０】
なお、カメラの機種によっては、停止状態のモータに電源を供給して励磁状態にすることにより、モータの回転を規制している場合がある。これは、ズーミングやフォーカシングなどを行っていないときにモータが回転して、ズームレンズやフォーカスレンズなどが移動してしまうといったことを防止するためである。このような機種では、モータの異常時にも励磁状態が継続されている場合があり手動操作の妨げとなる。こういった場合には、メッセージの表示と同時にＣＰＵによってモータの励磁状態を解除するようにするとよい。または操作ノブを操作位置に引き出し操作することによって、モータの励磁状態を解除するようにしてもよい。
【００４１】
なお、モータの異常検出方法としては、モータがＣＰＵの制御に応じて規定量回転しているかを検知できればよい。したがって、上記方法以外の方法を用いてモータの異常を検出するようにしてもよい。
【００４２】
以下、上記構成によるデジタルカメラ１０の作用について説明をする。デジタルカメラ１０には、ＡＦ機能とＡＥ機能を有しているので、通常は自動的にフォーカシングや絞り調節がなされる。ユーザーは、ＬＣＤ２１を使用して被写体をフレーミングした後、レリーズボタン２８を押圧することによって撮影を行うことができる。
【００４３】
フレーミングの際にズームボタン２０を操作すればズーミングを行うことができる。ズーミングが行われるとその拡大倍率に応じた画像がＬＣＤ２１に表示される。ズーミングは、ズーム用モータ７５によって行われるので、このズーム用モータ７５が故障によって動作不能になる場合がある。このとき、ＬＣＤ２１には、図７に示すように、ズーム用モータ７５の異常を知らせ、手動操作を促すメッセージが表示される。
【００４４】
このメッセージを確認したユーザーは、図１に示す、待避位置にあるズーム操作ノブ１５を引き出し操作して、図４（ａ）に示す、操作位置に移動させる。そして、操作位置にあるズーム操作ノブ１５を回転操作することによって、手動にてズームレンズ６５を移動可能となり、ズーミングを行うことができる。ユーザーはＬＣＤ２１を確認しながら所望の画角を選択すればよい。
【００４５】
同様にして、フォーカス用モータ７７が故障によって動作不能となった場合は、フォーカス操作ノブ１７を引き出し操作して、図４（ｂ）に示す、操作位置に移動させた後、フォーカス操作ノブ１７を回転操作すればよい。こうすることにより、手動にてフォーカシングを行うことができる。ユーザーはＬＣＤ２１を確認しながら目視にて合焦位置をする。
【００４６】
このように、デジタルカメラ１０は、手動にてズーミングや、フォーカシングを行えるようにしたので、ズームモータや、フォーカスモータが動作不能となっても手動操作に切り替えることによって撮影を続行することができる。また、操作部材をカメラ本体側に設けたので、操作リングによって手動操作を行うカメラと比較して、レンズ鏡筒が沈胴位置にある場合でも手動にて操作可能である。さらには、レンズ鏡筒近傍に単純な構成による操作部材を設け手動操作を行えるようにしたので、カメラの大型化を防止できる。
【００４７】
また、デジタルカメラ１０は、故障検知手段によってモータの故障を検知して、ＬＣＤに故障の発生を知らせるとともに、手動操作に切り替えることを促す内容のメッセージを表示するようにした。これによって、ユーザーは故障の発生を認識してスムーズに手動操作に切り替えられる。
【００４８】
上記実施形態では特に触れなかったが、例えば、フォーカス用モータが故障してもＡＦ検出部など他のＡＦ機能は正常に作動している場合が考えられる。こういった場合には、フォーカスレンズを手動で移動させている間に、ＡＦ検出部に合焦位置の特定処理を実行させる。そして、合焦位置にフォーカスレンズが移動したときに、ピントが合った旨のメッセージをユーザーに報知させるとよい。メッセージは、ＬＣＤに表示してもよいし、音声による警告音などでもよい。
【００４９】
なお、上記実施形態では、手動でズーミングやフォーカシングを行えるデジタルカメラを例に説明をしたが、同様に、絞り板を手動操作可能な絞り操作ノブをカメラ本体に設けて、手動で絞りを調節できるようにしてもよい。この場合も、絞り用モータの異常を検知してＬＣＤに表示するようにしてもよい。また、絞り用モータが故障してもＡＥ検出部が正常な場合には、絞り板の移動をユーザーが行い、適正な位置に絞り板が移動したらこのことをユーザーに知らせるようにしてもよい。さらに、デジタルカメラを例に説明をしたが、本発明はこれに限られず、普及型のフイルムカメラに対しても適用可能である。
【００５０】
【発明の効果】
以上詳細に説明したように、本発明のカメラによれば、レンズ鏡筒を手動にて駆動させる操作部材を設けたので、レンズ鏡筒を駆動させるモータが動作不能となっても撮影を続行することができる。また、操作部材をカメラ本体側に設けたので、沈胴式カメラにおいて、レンズ鏡筒がカメラ本体に沈胴した沈胴位置であっても手動にてレンズ鏡筒を駆動することができる。さらには、操作ノブとレンズ鏡筒を駆動させる駆動ギアの回転軸方向を同じにして、単純な構成によって操作部材からの駆動力をレンズ鏡筒に伝達するようにしたので、カメラの大型化を防止できる。
【００５１】
また、本発明のカメラによれば、モータの故障を検知する故障検出手段と、この検知手段によってモータの故障が検知されたときに、警告を発する警告手段とを設けたので、ユーザーが混乱することなく手動操作に切り替えることができる。
【図面の簡単な説明】
【図１】デジタルカメラの正面側斜視図である。
【図２】デジタルカメラの背面側斜視図である。
【図３】レンズ鏡筒の斜視図である。
【図４】操作ノブの動きを表す説明図である。
【図５】操作ノブの動きを表す説明図である。
【図６】デジタルカメラの構成図である。
【図７】ＬＣＤの表示画面を表す説明図である。
【符号の説明】
１０  デジタルカメラ
１１  カメラ本体
１２  レンズ鏡筒
１５  ズーム操作ノブ
１７  フォーカス操作ノブ
２１  ＬＣＤ
２５、２７  シャフト
３５、３７  ギア
５７、５９、６２  回転筒
６１  固定筒
６５  ズームレンズ
６７  フォーカスレンズ
６９  絞り板
７５  ズーム用モータ
７７  フォーカス用モータ
７９  絞り用モータ
８５  ズーム駆動ギア
８７  フォーカス駆動ギア
８９  絞り駆動ギア
９８  故障検知手段
【図１】
2004226840.tif 000003
【図２】
2004226840.tif 000004
【図３】
2004226840.tif 000005
【図４】
2004226840.tif 000006
【図５】
2004226840.tif 000007
【図６】
2004226840.tif 000008
【図７】
2004226840.tif 000009